(57)【特許請求の範囲】
【請求項１】
互いに対向する少なくとも２つの壁部を有する被取付部材と、前記被取付部材の前記壁部に略直交する方向から挿入して少なくとも２つの前記壁部に支持させた軸状ナットと、前記被取付部材の前記２つの壁部間に挿入してなり前記軸状ナットを挿通可能なナット挿通孔及び前記軸状ナットに螺着すべき雄ネジを挿通させるネジ挿通空間を有する挿入部材とを具備するものであって、前記挿入部材が前記軸状ナットの抜け止めを行う抜け止め部をさらに有することを特徴とするナット支持構造。
【請求項２】
前記挿入部材が前記ナットの回り止めを行う回り止め部をさらに有することを特徴とする請求項１記載のナット支持構造。
【請求項３】
前記軸状ナットが、横断面が円形の円柱部、前記円柱部から連続して設けた横断面がＤ字状の平面部を有するＤ字断面部、及びこれら円柱部とＤ字断面部との境界に位置する係合段部を有し、前記挿入部材の抜け止め部と前記係合段部とを係合させるようにしていることを特徴とする請求項１又は２記載のナット支持構造。
【請求項４】
前記Ｄ字断面部の平面部から径方向に雌ネジ部を設けていることを特徴とする請求項３記載のナット支持構造。
【請求項５】
前記Ｄ字断面部の平面部が前記ネジ挿通空間と反対方向を向くことを特徴とする請求項３又は４記載のナット支持構造。
【請求項６】
前記被取付部材の２つの壁部のうち１つの外方に溝部を設けているとともに、前記被取付部材の２つの壁部を軸状ナットが貫通させるようにしているものであって、前記軸状ナットの全体を前記溝部を外方に設けた壁部よりも内側に位置させていることを特徴とする請求項１、２、３、４又は５記載のナット支持構造。
【請求項７】
前記挿入部材が、前記ナット挿通孔と、このナット挿通孔と連通する前記ネジ挿通空間と、前記ネジ挿通空間の巾方向両側縁をそれぞれ形成し弾性変形可能な対をなす脚部とを具備することを特徴とする請求項１、２、３、４、５又は６記載のナット支持構造。
【請求項８】
前記挿入部材のナット挿通孔内部に前記軸状ナットと係合する前記抜け止め部たる係合爪を設けていることを特徴とする請求項７記載のナット支持構造。
【請求項９】
前記係合爪が、前記ナット挿通孔外部に向かい弾性退避可能であることを特徴とする請求項８記載のナット支持構造。
【請求項１０】
前記ネジ挿通空間及び軸状ナットの雌ネジ部を経由して前記係合爪にアクセスし該係合爪と前記軸状ナットとの係合状態を解除可能な構成を有することを特徴とする請求項８又は９記載のナット支持構造。
【請求項１１】
前記係合爪に、軸状ナットに当接して該軸状ナットの回り止めを行う回り止め部を設けていることを特徴とする請求項９又は１０記載のナット支持構造。
【発明の詳細な説明】
【技術分野】
【０００１】
本発明は、ボルト等の雄ネジ部材と、雄ネジ部材に螺合可能であり被取付部材に支持させてなるナットとを利用して複数の部材を結合する際に、ナットを被取付部材に支持させるナット支持構造に関する。
【背景技術】
【０００２】
長尺の部材同士を結合する方法として、これまで種々の方法が考えられてきている。そのうちの１つとして、一方の部材に棒状のナットを支持させ、このナットに雄ねじ部材を他方の部材側から螺着する構成が考えられている。（例えば、特許文献１を参照。）
【特許文献１】特開２００４−２０５０３２号公報
【発明の開示】
【発明が解決しようとする課題】
【０００３】
しかして、特許文献１記載の構成において、ナットは円柱状をなすようにしているが、このようなナットを被取付部材に支持させる際に抜け止めを図るべく、従来、ナットにＥリング等の抜け止め部材を装着するための溝を形成している。そして、ナットを被取付部材に装着してから前記溝に抜け止め部材を装着してナットの抜け止めを実現するようにしている。
【０００４】
ところが、このような構成では、抜け止めのためにＥリング等の特殊な部材を必要とするとともに、ナット側もこのような部材を取り付け可能な構成にする必要がある。
【０００５】
本発明は、このような課題を解決し、簡単な構成によりナットを被取付部材に支持させるようにすべく構成するものである。
【課題を解決するための手段】
【０００６】
すなわち本発明に係るナット支持構造は、互いに対向する少なくとも２つの壁部を有する被取付部材と、前記被取付部材の前記壁部に略直交する方向から挿入して少なくとも２つの前記壁部に支持させた軸状ナットと、前記被取付部材の前記２つの壁部間に挿入してなり前記軸状ナットを挿通可能なナット挿通孔及び前記軸状ナットに螺着すべき雄ネジを挿通させるネジ挿通空間を有する挿入部材とを具備するものであって、前記挿入部材が前記軸状ナットの抜け止めを行う抜け止め部をさらに有することを特徴とする。
【０００７】
このようなものであれば、挿入部材が抜け止め部を有するので、被取付部材側に特殊な加工を施す必要がなく、被取付部材にはナットを挿通させて支持させるための単純な形状の孔を設けるだけでよくなる。すなわち、簡単な構成により被取付部材にナットを支持させる構成を実現できる。
【０００８】
さらに簡単な構成で被取付部材にナットを支持させる構成として、前記挿入部材が前記ナットの回り止めを行う回り止め部をさらに有するものが挙げられる。このようなものであれば、被取付部材にＤ字孔等の回り止め部を形成する必要がなくなるからである。
【０００９】
上述したナットの支持構造を具体的に実現するための一態様として、前記軸状ナットが、横断面が円形の円柱部、前記円柱部から連続して設けた横断面がＤ字状のＤ字断面部、及びこれら円柱部とＤ字断面部との境界に位置する係合段部を有し、前記挿入部材の抜け止め部と前記係合段部とを係合させるようにしているものが挙げられる。
【００１０】
特に、前記Ｄ字断面部の平面部から径方向に雌ネジ部を設けているものであれば、全体が円柱状をなす軸ナットに径方向に雌ネジ部を設ける態様と比較して、このような雌ネジ部の形成を容易に行うことができる。
【００１１】
また、前記Ｄ字断面部の平面部が前記ネジ挿通空間と反対方向を向くものであれば、雄ネジとの間の緊締力をＤ字断面部の平面部以外の外周の略全体で受けることができ、被取付部材と被取付部材に接続する相手の部材とを安定して接続できる。
【００１２】
前記被取付部材の２つの壁部のうち１つの外方に溝部を設けているとともに、前記被取付部材の２つの壁部を軸状ナットが貫通させるようにしているものであって、前記軸状ナットの全体を前記溝部を外方に設けた壁部よりも内側に位置させているものであれば、前記溝部にオプション部材等をスライド移動可能に支持させつつ、前記軸状ナットがオプション部材のスライド移動を妨げないようにかつ確実に前記軸状ナットを被取付部材に支持させることができる。なお、「前記軸状ナットの全体を前記溝部を外方に設けた壁部よりも内側に位置させている」とは、前記軸状ナットの外面が前記壁部の外面と面一である態様を含む概念である。
【００１３】
また、ナットの取り付け作業の手間を低減できる一態様として、前記挿入部材が、前記ナット挿通孔と、このナット挿通孔と連通する前記ネジ挿通空間と、前記ネジ挿通空間の巾方向両側縁をそれぞれ形成し弾性変形可能な対をなす脚部とを具備するものが挙げられる。このようなものであれば、弾性力を利用してこの挿入部材を被取付部材に仮保持できるからである。
【００１４】
上述したナットの支持構造を簡単な構造により実現するための一態様として、前記挿入部材の係合孔内部に前記抜け止め部たる係合爪を設けているものが挙げられる。
【００１５】
特に、前記係合爪が、前記ナット挿通孔外部に向かい弾性退避可能であるものであれば、軸状ナットの取り付け作業中はこの係合爪を弾性退避させ、軸状ナットの前記係合爪と係合可能な部位がこの係合爪と対向する部位に達した時点で弾性力により係合爪を該部位と係合させる構成を実現できる。
【００１６】
また、前記ネジ挿通空間及び軸状ナットの雌ネジ部を経由して前記係合爪にアクセスし該係合爪と前記軸状ナットとの係合状態を解除可能な構成を有するものであれば、このような軸状ナットの取り外しを容易に行うことができる。
【００１７】
さらに効果的に軸状ナットの仮保持を行える挿入部材の構成として、前記係合爪に、軸状ナットに当接して該軸状ナットの回り止めを行う回り止め部を設けているものが挙げられる。
【発明の効果】
【００１８】
本発明に係るナット支持構造を採用すれば、挿入部材が抜け止め部を有するので、被取付部材側に特殊な加工を施す必要がなく、被取付部材には軸状ナットを挿通させて支持させるための単純な形状の孔を設けるだけでよくなる。すなわち、簡単な構成により被取付部材に軸状ナットを支持させる構成を実現できる。
【発明を実施するための最良の形態】
【００１９】
以下、本発明の一実施形態を、図面を参照して説明する。
【００２０】
この実施形態の天板付き家具は、図１、図２、及び図３に示すように、移動体である天板２及び抽斗３を構造体である天板支持体１に相互に独立してスライド移動し得るように支持させたものである。
【００２１】
具体的に説明すると、天板２は、厚み寸法が１０ｍｍ程度の薄板状のもので、前記図２に示すように前方にスライド移動して天板支持体１の奥部領域１Ｂを上方に開放する前方スライド位置２Ｆと、前記図１に示すように後方にスライド移動して前記奥部領域１Ｂを閉止する後方スライド位置２Ｂ（通常使用位置）との間で移動可能としている。
【００２２】
抽斗３は、前記図３に示すように前方にスライド移動して内部空間を上方に開放する前方スライド位置３Ｆと、前記図１に示すように後方にスライド移動して内部空間を閉止する後方スライド位置３Ｂ（通常使用位置）との間で移動可能としている。また、この抽斗３の奥行き寸法は、天板２の奥行き寸法のほぼ半分程度に設定していて、この抽斗３の後方には固定トレー８を設けている。
【００２３】
なお、天板２及び抽斗３を天板支持体１に支持させる構造については、本願出願人が前記特願２００４−２８９４３８号明細書等に詳述している。
【００２４】
前記天板支持体１は、図４に示すように、左右の脚部１ａ、１ａ間を後部横架材１１及び中間横架材１２で連結し、前端縁の上端を開放した形状に構成している。脚部１ａと後部横架材１１とは、図５に分解斜視図を示すような第１保持手段Ｈ１を介して接続している。また、脚部１ａと中間横架材１２とは、図６に分解斜視図を示すような第２保持手段Ｈ２を介して接続している。
【００２５】
また、前記脚部１ａは一対の支柱１３、１３間を側部架材１４で連結した門形をなす。前記側部架材１４の後端部と前記支柱１３とは、前記第１保持手段Ｈ１を介して接続している。すなわち、前記第１保持手段Ｈ１を介して、前記後部横架材１１と前記側部架材１４と前記支柱１３とを接続している。一方、前記側部架材１４の前端部と前記支柱１３とは図７に分解斜視図を示すような第３保持手段Ｈ３を介して接続している。
【００２６】
前記後部横架材１１、前記中間横架材１２、及び前記側部架材１４は、それぞれアルミ押出し成形により形成され、長手寸法の略全域にわたって同一の断面形状を有するフレーム材Ｆにより構成している。このフレーム材Ｆは、前記図５〜図７に示すように、底面を構成する底壁Ｆ１と、この底壁Ｆ１の一側縁から起立する背壁Ｆ２と、この背壁Ｆ２の上端から底壁Ｆ１と平行に延伸し上面を構成する頂壁Ｆ３と、この頂壁Ｆ３の他側縁から垂下する上前壁Ｆ４と、前記底壁Ｆ１の他側縁から起立する下前壁Ｆ５と、これら底壁Ｆ１、背壁Ｆ２、頂壁Ｆ３、上前壁Ｆ４、及び下前壁Ｆ５によって区画される空間内に配される第１〜第３中間壁Ｆ６〜Ｆ８とを有する。前記頂壁Ｆ３は、前記上前壁Ｆ４側の部位である前部Ｆ３ａの高さ位置が前記背壁Ｆ２側の部位である後部Ｆ３ｂの高さ位置よりも上方にあるとともに、これらを起立部Ｆ３ｃにより接続している。第１中間壁Ｆ６は、前記頂壁Ｆ３の起立部Ｆ３ｃと連続させて前記背壁Ｆ２と平行に設けている。第２中間壁Ｆ７は、前記第１の中間壁Ｆ６と前記下前壁Ｆ５との間の部位から起立させて前記第１の中間壁Ｆ６と平行に設けている。第３中間壁Ｆ８は、前記頂壁Ｆ３の後部Ｆ３ｂと連続させて前記底壁Ｆ１と平行に設けている。さらに、このフレーム材Ｆには、前記底壁Ｆ１、前記上前壁Ｆ４、前記下前壁Ｆ５、前記第２中間壁Ｆ７、及び前記第３中間壁Ｆ８により区画される溝部たる水平溝ｆを設けている。すなわち、この水平溝ｆは前記第２中間壁Ｆ７の外方に形成している。そして、前記後部横架材１１及び前記中間横架材１２を構成するフレーム材Ｆ、Ｆ、及び左右両側の前記側部架材１４を構成するフレーム材Ｆ、Ｆは、水平溝ｆ、ｆをそれぞれ互いに対向させて配している。
【００２７】
また、前記支柱１３は、アルミ押出し成形により形成され、長手寸法の略全域にわたって同一の断面形状を有する。具体的には、前記図５に示すように、この支柱１３の外面を形成し、横断面視正方形状の周壁部１３１と、横断面視中央部に位置し、円筒状をなす中心体１３２と、横断面視前記周壁部１３１の対角線に沿う方向に前記周壁部１３１から内方に向けて突出して設けられ前記周壁部１３１及び中心体１３２を接続するリブ１３３とを有する。そして、上端面の中央部には、雌ねじ部１３ａを形成している。この雌ねじ部１３ａは、前記中心体１３２の内面をタッピング加工することにより形成している。すなわち、この雌ねじ部１３ａは、前記支柱１３の長手方向に延伸している。さらに、この支柱１３の上端部は、この天板付き家具の外方に向く面を有する外周壁を、他の部分よりも前記後部横架材１１の一辺の長さよりは短い所定の寸法だけ上方に突出させている。そして、前記外周壁が上方に突出している部分により区画される領域に、接続部材取付空間たるコーナー部材取付空間１３ｓを形成している。
【００２８】
しかして、前記第１保持手段Ｈ１は、前記図５、図８、及び図９に示すように、被取付部材たる前記後部横架材１１、被取付部材たる前記側部架材１４、及び前記支柱１３を接続する接続部材たる第１コーナー部材４と、前記後部横架材１１又は前記側部架材１４にそれぞれ支持させてなる軸状ナット５、５と、この軸状ナット５、５に螺着してなる雄ネジ部材ｖ、ｖと、前記後部横架材１１及び前記側部架材１４の前記第１及び第２の中間壁Ｆ６、Ｆ７間にそれぞれ挿入してなる挿入部材６、６とを具備する。ここで、前記後部横架材１１及び前記側部架材１４は請求項中の第１フレーム、前記支柱１３は請求項中の第２フレームとしての機能を有する。また、前記図８はこの前記第１保持手段Ｈ１の要部を示す横断面図、図９は前記図８におけるＡ−Ａ断面図である。
【００２９】
さらに詳述すると、前記第１コーナー部材４は、前記図５及び図８に示すように、前記コーナー部材取付空間１３ｓに配置される本体４１と、前記本体４１の上方に連接され、前記支柱１３の横断面と同一の巾寸法及び奥行き寸法を有する鍔部４２とを一体に有する。
【００３０】
前記本体４１は、前記後部横架材１１の端面に当接可能な横当接面４ｂ及び前記側部架材１４の端面に当接可能な縦当接面４ｃを有する。横当接面４ｂには幅方向に水平ねじ挿通孔４ｂ１を貫通させて設けている。また、縦当接面４ｃには奥行き方向に水平ねじ挿通孔４ｃ１を貫通させて設けている。さらに、前記支柱１３に当接する面、すなわち横当接面４ｂ及び縦当接面４ｃと反対側の面から水平ねじ挿通孔４ｂ１、４ｃ１に沿う方向に、有底でねじ部材ｖの頭部を挿入可能な座繰り穴４ｂ２、４ｃ２をそれぞれ設けている。これら座繰り穴４ｂ２、４ｃ２の底は、ねじ部材相互の干渉を避けるべく平面視中央よりも横当接面４ｂ寄り及び縦当接面４ｃ寄りに配置している。すなわち本実施形態では、これら座繰り穴４ｂ２、４ｃ２は交差している。さらに、図示はしないが、底部には前記支柱１３のリブ１３３及び中心体１３２の形状に対応する形状の溝部を設けていて、この溝部と前記支柱１３のリブ１３３及び中心体１３２とを係合させることにより位置決めを行うようにしている。加えて、前記横当接面４ｂ及び縦当接面４ｃからは、後部横架材１１及び側部架材１４の水平溝ｆ、背壁Ｆ２と第１中間壁Ｆ６との間の空間、及び第３中間壁Ｆ８上方の空間に挿入可能に位置決め突起４３を突出させて設けている。
【００３１】
また、前記鍔部４２は、支柱１３の上面に当接可能な下向き当接面４ａを有するとともに、その中央部から鉛直方向に貫通する鉛直ねじ挿通孔４ａ１及び有底でねじ部材の頭部を挿入可能な座繰り穴４ａ２を設けている。さらに、この鍔部４２の上面を前記後部横架材１１及び前記側部架材１４の上面と面一にすべく、これら後部横架材１１及び側部架材１４の頂壁Ｆ３の前部Ｆ３ａに対応する部位に上部突起４２１を設けている。
【００３２】
前記軸状ナット５は、図１０〜図１２に示すように、横断面が円形の円柱部５１、横断面がＤ字状のＤ字断面部５２、これら円柱部５１とＤ字断面部５２との境界に位置する係合段部５３、及び前記Ｄ字断面部５２の平面部５２ａから径方向に設けた雌ネジ部５ｘを有する。この軸状ナット５は、前記後部横架材１１、前記中間横架材１２、及び前記側部架材１４の前記第１及び第２の中間壁Ｆ６、Ｆ７にそれぞれ形成したナット取付孔Ｆ６ａ、Ｆ７ａに挿通させ、これら第１及び第２の中間壁Ｆ６、Ｆ７に支持させるようにしている。
【００３３】
一方、前記挿入部材６は、全体を樹脂により形成した板状の部材で、図１３〜図１７に示すように、基部６１と、この基部６１から延伸して設けている１対の脚部６２、６２と、これら基部６１及び脚部６２、６２により区画され前記軸状ナット５を挿通可能なナット挿通孔６ｘと、前記脚部６２、６２間に位置するとともに前記ナット挿通孔６ｘと連通するネジ挿通空間６ｙと、前記基部６１から前記ナット挿通孔６ｘに向けて延伸し、前記軸状ナット５の係合段部５３に当接して抜け止めを行う抜け止め部たる係合爪６３とを具備する。
【００３４】
前記脚部６２の先端には、被取付部材、具体的には前記後部横架材１１及び前記側部架材１４の底壁Ｆ１及び第３の中間壁Ｆ８にそれぞれ形成した位置決め孔Ｆａと係合してこの挿入部材６の厚み方向の位置決めを行う位置決め部６２１を外方に突出させて形成している。
【００３５】
また、前記係合爪６３は、前記基部６１からナット挿通孔６ｘの中心に向けて延びる接続部６３２と、この接続部６３２の突出端から裏面側かつナット挿通孔６ｘの中心に向かう側に傾斜して延びる係合部６３１とを有する。この係合部６３１は、前記軸状ナット５の円柱部５１を前記ナット挿通孔６ｘに挿通する際に、前記ナット挿通孔６ｘの外側に向かう方向に弾性退避するようにしている。ここで、前記軸状ナット５が前記水平溝ｆ内に突出しないようにして前記水平溝ｆ内に種々のオプション部材等をスライド移動可能に保持できるようにすべく、前記係合部６３１の先端の位置は、該係合部６３１の先端と前記軸状ナット５の係合段部５３とを係合させた状態で軸状ナット５のＤ字断面部５２の端面が前記第２中間壁Ｆ７の表面と面一になる位置に設定している。加えて、前記係合部６３１には、凸部６３３をナット挿通孔６ｘの中心に向かう側に突出させて設けている。この凸部６３３は、前記軸状ナット５のＤ字断面部５２の平面部５２ａに当接し、該軸状ナット５の回り止めを行う回り止め部として機能する。そして、前記凸部６３３と前記平面部５２ａとを当接させた状態で、前記平面部５２ａが前記ネジ挿通空間６ｙと反対方向を向くようにしている。
【００３６】
加えて、前記ネジ挿通空間６ｙは、前記係合爪６３と前記軸状ナット５の係合段部５３とを係合させた状態で、前記軸状ナット５の雌ネジ部５ｘと同一方向に延伸する。このとき、被取付部材、すなわち前記後部横架材１１又は前記側部架材１４の外部から前記ネジ挿通空間６ｙ及び前記軸状ナット５の雌ネジ部５ｘを経て前記係合爪６３にアクセス可能にしている。
【００３７】
この第１保持手段Ｈ１による前記後部横架材１１、前記側部架材１４、及び前記支柱１３の接続は、次のようにして行う。まず、前記後部横架材１１及び前記側部架材１４の前記壁部間空間に、挿入部材６を基部６１側から挿入する。次いで、前記後部横架材１１及び前記側部架材１４に形成したナット保持孔Ｆ６ｘ、Ｆ７ｘに、前記軸状ナット５を円柱部５１側から挿入し、前記挿入部材６の係合爪６３の係合部６３１とこの軸状ナット５の係合段部５３とを係合させる。このとき、軸状ナット５は前記第１、第２中間壁Ｆ６、Ｆ７を貫通し、該軸状ナット５の全体が、前記第２中間壁Ｆ７の内側に位置する。さらに、前記第１コーナー部材４の水平ねじ挿通孔４ｂ１、４ｃ１に、前記雄ネジ部材ｖ、ｖを挿通させ、この雄ネジ部材ｖ、ｖを前記挿入部材６のネジ挿通空間６ｙに挿通させてから軸状ナット５、５の雌ネジ部５ｘ、５ｘに螺着し、緊締力により雄ねじ部材ｖの頭部ｖ１と前記後部横架材１１の端面との間、及び雄ねじ部材ｖの頭部ｖ１と前記側部架材１４の端面との間に前記第１コーナー部材４を挟持させるようにしている。そして、前記下向き当接面４ａを支柱１３の上端に当接させ、この状態で雄ネジ部材ｖを支柱１３の雌ねじ孔１３ａに螺着するようにしている。
【００３８】
一方、前記第２保持手段Ｈ２は、前記図６に示すように、前記側部架材１４のスリット１４ｓに挿入した保持ナット１２１と、被取付部材たる前記中間横架材１２と前記保持ナット１２１との間に介在させた接続部材１２２と、前記中間横架材１２の第１及び第２の中間壁１２６、１２７に支持させてなる軸状ナット５と、この軸状ナット５に螺着してなる雄ネジ部材ｖと、前記中間横架材１２の前記第１及び第２の中間壁Ｆ６、Ｆ７間に挿入してなる挿入部材６と、前記保持ナット５に形成した雌ネジ部５ｘに螺着してなる雄ネジ部材ｖとを具備する。
【００３９】
前記保持ナット１２１は、前記側部架材１４の水平溝ｆに挿入可能な短辺寸法と、前記水平溝ｆの幅寸法に略一致する長辺寸法とを有するとともに、中央部に雌ネジ孔を有する略矩形状の部材であり、対角線上に位置する２つの隅部にＲを設けている。一方、前記接続部材１２２は、本体１２２ａと、この本体１２２ａから巾方向に延伸して設けた取付部１２２ｂとを有する。前記本体１２２ａは、前記中間横架材１２に対応する断面形状を有し、前記中間横架材１２に当接する当接面から長手方向に延伸する第１ネジ挿通孔１２２ｘを備えている。前記第１ネジ挿通孔１２２ｘには、雄ネジ部材ｖを挿通させるようにしている。さらに、この第１ネジ挿通孔１２２ｘと同心に、座繰り穴１２２ｙを前記側部架材１４に当接する側から設け、この座繰り穴１２２ｙの底に、前記雄ネジ部材ｖの頭部ｖ１を当接させるようにしている。そして、この本体１２２ａには、前記中間横架材１２の水平溝ｆ、及び第１中間壁Ｆ６と背壁Ｆ２との間の空間に挿入可能な位置決め突起１２２ｃを設けている。一方、前記取付部１２２ｂは、前記雄ネジ部材ｖを挿通可能な第２ネジ挿通孔１２２ｚと、前記側部架材１４の水平溝ｆ内に挿入された状態で前記保持ナットの前後動を規制する突起１２２ｄとを有する。
【００４０】
前記軸状ナット５は、及び前記挿入部材６は、前記第１保持手段Ｈ１におけるものと全く同様の構成を有する。また、また、前記軸状ナット５は、前記側部架材１４の第２中間壁Ｆ７に形成したナット挿通孔Ｆ７ｘ、及び第１中間壁Ｆ６に形成したナット挿通孔Ｆ６ｘに順次挿通させるようにしている。そして、前記挿入部材６は、前記中間横架材１２の第１、第２中間壁Ｆ６、Ｆ７間の空間に基部６１側から挿入するようにしている。
【００４１】
この第１保持手段Ｈ２による前記中間横架材１２及び前記側部架材１４の接続は、次のようにして行う。まず、前記中間横架材１２の前記壁部間空間に、挿入部材６を基部６１側から挿入する。次いで、前記中間横架材１２に形成したナット保持孔Ｆ６ｘ、Ｆ７ｘに、前記軸状ナット５を円柱部５１側から挿入し、前記挿入部材６の係合爪６３の係合部６３１とこの軸状ナット５の係合段部５３とを係合させる。このとき、軸状ナット５は前記第１、第２中間壁Ｆ６、Ｆ７を貫通し、該軸状ナット５の全体が、前記第２中間壁Ｆ７の内側に位置する。さらに、前記接続部材１２２の第１ネジ挿通孔に、前記雄ネジ部材ｖを挿通させ、この雄ネジ部材ｖを前記挿入部材６のネジ挿通空間６ｙに挿通させ、軸状ナット５の雌ネジ部５ｘに螺着させ、緊締力により雄ねじ部材ｖの頭部ｖ１と前記中間横架材１２の端面との間に前記接続部材１２２を挟持させるようにしている。そして、雄ねじ部材ｖを前記取付部１２２ｂの第２ネジ挿通孔１２２ｚに挿通し、前記保持ナット１２１に螺着する。
【００４２】
また、前記第３保持手段Ｈ３は、前記図７に示すように、被取付部材たる前記側部架材１４及び前記支柱１３を接続する接続部材たる第２コーナー部材７と、前記側部架材１４の第１及び第２の中間壁に支持させてなる軸状ナット５と、この軸状ナット５に螺着してなる雄ネジ部材ｖと、前記側部架材１４の前記２つの壁部間に挿入してなる挿入部材６とを具備する。
【００４３】
前記第２コーナー部材７は、前記コーナー部材取付空間１３ｓに配置される本体７１と、前記本体７１の上方に連接され、前記脚支柱３の横断面と同一の巾寸法及び奥行き寸法を有する鍔部７２とを一体に有する。
【００４４】
前記本体７１は、前記側部架材１４の端面に当接可能な縦当接面７ｃを有する。この縦当接面７ｃには奥行き方向に水平ねじ挿通孔７ｃ１を貫通させて設けている。さらに、前記縦当接面７ｃと反対側の面から水平ねじ挿通孔７ｃ１に沿う方向に、有底でねじ部材の頭部を挿入可能な座繰り穴７ｃ２を設けている。この座繰り穴７ｃ２の底は、ねじ部材相互の干渉を避けるべく平面視中央よりも縦当接面７ｃ寄りに配置している。また、図示はしないが、底部には前記支柱１３のリブ１３３及び中心体１３２の形状に対応する形状の溝部を設けていて、この溝部と前記支柱１３のリブ１３３及び中心体１３２とを係合させることにより位置決めを行うようにしている。加えて、前記横当接面４ｂ及び縦当接面４ｃからは、後部横架材１１及び側部架材１４の水平溝ｆ、背壁Ｆ２と第１中間壁Ｆ６との間の空間、及び第３中間壁Ｆ８上方の空間に挿入可能に位置決め突起７３を突出させて設けている。
【００４５】
一方、前記鍔部７２は、支柱１３の上面に当接可能な下向き当接面７ａを有するとともに、その中央部から鉛直方向に貫通する鉛直ねじ挿通孔７ａ１及び有底でねじ部材の頭部を挿入可能な座繰り穴７ａ２を設けている。さらに、この鍔部７２の上面を前記側部架材１４の上面と面一にすべく、側部架材１４の頂壁Ｆ３の前部Ｆ３ａに対応する部位に上部突起７２１を設けている。
【００４６】
前記軸状ナット５は、及び前記挿入部材６は、前記第１保持手段Ｈ１におけるものと全く同様の構成を有する。また、前記軸状ナット５は、前記側部架材１４の第２中間壁Ｆ７に形成したナット挿通孔Ｆ７ｘ、及び第１中間壁Ｆ６に形成したナット挿通孔（図示略）に順次挿通させるようにしている。そして、前記挿入部材６は、前記側部架材１４の第１、第２中間壁Ｆ６、Ｆ７間の空間に基部６１側から挿入するようにしている。
【００４７】
この第３保持手段Ｈ３による前記側部架材１４及び前記支柱１３の接続は、次のようにして行う。まず、前記側部架材１４の前記壁部間空間に、挿入部材６を基部６１側から挿入する。次いで、前記側部架材１４に形成したナット保持孔Ｆ６ｘ、Ｆ７ｘに、前記軸状ナット５を円柱部５１側から挿入し、前記挿入部材６の係合爪６３とこの軸状ナット５の係合段部５３とを係合させる。このとき、軸状ナット５は前記第１、第２中間壁Ｆ６、Ｆ７を貫通し、該軸状ナット５の全体が、前記第２中間壁Ｆ７の内側に位置する。さらに、前記第２コーナー部材７の水平ねじ挿通孔７ｂ１に、前記雄ネジ部材ｖを挿通させ、この雄ネジ部材ｖを前記挿入部材６のネジ挿通空間６ｙに挿通させてから軸状ナット５の雌ネジ部５ｘに螺着し、緊締力により雄ねじ部材ｖの頭部ｖ１と前記側部架材１４の端面との間に前記第２コーナー部材７を挟持させるようにしている。そして、前記下向き当接面４ａを支柱１３の上端に当接させ、この状態で雄ネジ部材ｖを支柱１３の雌ねじ孔１３ａに螺着するようにしている。
【００４８】
以上第１〜第３保持手段Ｈ１〜Ｈ３のいずれにおいても、雄ネジ部材を軸状ナット５に螺着する際、緊締力により軸状ナット５は前記挿入部材６を取り付けた後横架材１１、中間横架材１２、又は側部架材１４の第１、第２中間壁Ｆ６、Ｆ７に引き寄せられる。そして、これら後横架材１１、中間横架材１２、又は側部架材１４の第１、第２中間壁Ｆ６、Ｆ７が、軸状ナット５を支持する。そして、前記軸状ナット５に螺着する雄ネジ部材ｖの頭部ｖ１は、見栄えを整えるべく、第１保持手段Ｈ１及び第３保持手段Ｈ３では支柱１３、第２保持手段Ｈ２では側部架材１４により隠蔽されるようにしている。
【００４９】
本実施形態の構成を採用すると、挿入部材６に係合爪６３を設け、この係合爪６３を軸状ナット５の係合段部５３と係合させて該軸状ナット５の抜け止めを行うようにしているので、挿入部材６を取り付ける後横架材１１、中間横架材１２、及び側部架材１４には、単に円形状のナット挿通孔Ｆ６ｘ、Ｆ７ｘをそれぞれ設けるだけでよく、軸状ナット５の抜け止めを行うための特殊な加工を施す必要がない。すなわち、簡単な構成により後横架材１１、中間横架材１２、及び側部架材１４に軸状ナット５を支持させるようにできる。
【００５０】
さらに、前記挿入部材６の係合爪６３に凸部６３３を設け、この凸部６３３に軸状ナット５の平面部５２ａを当接させて回り止めを行うようにしているので、ナット挿通孔Ｆ６ｘ、Ｆ７ｘ側には回り止めのために形状を工夫する必要がなくなり、これらナット挿通孔Ｆ６ｘ、Ｆ７ｘを円形状に形成できる。そして、前記凸部６３３により回り止めを行うことにより、効果的に軸状ナット５の仮保持を行うことができる。
【００５１】
前記軸状ナット５が、横断面が円形の前記円柱部５１、前記円柱部５１から連続して設けた横断面がＤ字状のＤ字断面部５２、及びこれら円柱部５１とＤ字断面部５２との境界に位置する係合段部５３を有し、前記挿入部材６の係合爪６３と前記係合段部５３とを係合させるようにしているとともに、天板付家具の分解の際に、前記ネジ挿通空間６ｙ及び前記軸状ナット５の雌ネジ部５ｘを経て前記係合爪６３にアクセス可能にしているので、この係合爪６３と前記係合段部５３との係合を解除して軸状ナット５の取り外すことを容易に行うことができる。
【００５２】
また、前記凸部６３３と前記平面部５２ａとを当接させた状態で、前記平面部５２ａが前記ネジ挿通空間６ｙと反対方向を向くようにしているので、雄ネジ部材ｖとの間の緊締力を、この軸状ナット５の外周のうちＤ字断面部５２の平面部５２ａ以外の略全体で受けることができ、被取付部材、すなわち第１保持手段Ｈ１では後部横架材１１及び側部架材１４、第２保持手段Ｈ２では中間横架材１２、第３保持手段Ｈ３では側部架材１４と、被取付部材に接続する相手の部材、すなわち第１保持手段Ｈ１では第１コーナー部材４、第２保持手段Ｈ２では接続部材１２２、第３保持手段Ｈ３では第２コーナー部材７とを安定して接続できる。
【００５３】
前記係合爪６３が、前記ナット挿通孔６ｘ外部に向かい弾性退避可能であるので、軸状ナット５の取り付け作業中はこの係合爪６３を弾性退避させ、軸状ナット５の前記係合爪６３と係合可能な部位、すなわち係合段部５３がこの係合爪６３と対向する部位に達した時点で弾性力により係合爪６３を係合段部５３と係合させる構成を実現できる。
【００５４】
さらに、前記Ｄ字断面部５２の平面部５２ａから径方向に雌ネジ部５ｘを設けているので、全体が円柱状をなす軸ナットに径方向に雌ネジ部を設ける態様と比較して、軸状ナット５の雌ネジ部５ｘの形成を容易に行うことができる。
【００５５】
加えて、前記挿入部材６が、前記ナット挿通孔６ｘと、このナット挿通孔６ｘと連通する前記ネジ挿通空間６ｙと、前記ネジ挿通空間６ｙの巾方向両側縁をそれぞれ形成し弾性変形可能な対をなす脚部６２、６２とを具備するので、弾性力を利用してこの挿入部材６の脚部６２、６２を後横架材１１、中間横架材１２、及び側部架材１４に仮保持させ、軸状ナット５の取り付けの際の手間を軽減できる。
【００５６】
そして、前記挿入部材６のナット挿通孔６ｘ内部に係合爪６３を設けているので、上述したナットの支持構造を簡単な構造により実現することができる。
【００５７】
なお、本発明は、以上に述べた実施の形態に限られない。
【００５８】
例えば、このようなナット支持構造は、天板付家具の脚構造体に限らず、例えばパネルの枠体の接続部等、枠材間の接続部一般に広く用いることができる。
【００５９】
また、上述した実施形態では、軸状ナットの雌ネジ孔が被取付部材の長手方向に延伸するようにしているが、図１８に示すような態様も考えられる。この態様では、角パイプを利用して形成した被取付部材である第１フレーム部材Ｘ１と、この第１フレーム部材と同様の断面形状を有する第２フレーム部材Ｘ２との接続に用いられるものであって、前記第２フレーム部材Ｘ２に、雄ネジ部材ｖの頭部ｖ１に当接可能なネジ支持面Ｘ２１ａを有するネジ取付部Ｘ２１を設けているととともに、この雄ネジ部材ｖに螺着すべき雌ネジ部５ｘを有する軸状ナット５を、以下のようにして第１フレーム部材Ｘ１に支持させるようにしている。すなわち、第１フレーム部材Ｘ１の内部に、軸状ナット５を挿通可能なナット挿通孔Ｘ６ｘ及び前記雄ネジ部材ｖを挿通させるネジ挿通空間Ｘ６ｙを有する挿入部材Ｘ６を挿入するとともに、前記第１フレーム部材Ｘ１の両端面に予め設けた軸状ナット５を挿通可能なナット挿通孔（図示略）と前記挿入部材Ｘ６のナット挿通孔Ｘ６ｘとが重合するようにする。しかして、前記第１フレーム部材Ｘ１の一端面のナット挿通孔、前記挿入部材Ｘ６のナット挿通孔Ｘ６ｘ、及び前記第１フレーム部材Ｘ１の他端面のナット挿通孔に順次軸状ナット５を貫通させる。そして、軸状ナット５の係合段部５３に前記挿入部材Ｘ６に設けた抜け止め部たる係合爪Ｘ６３を係合させる。このとき、軸状ナット５の雌ネジ部５ｘが前記第１フレーム部材Ｘ１の長手方向に対して傾斜した方向に延伸するように軸状ナット５を支持するようにしている。なお、前記図１８においては、第１、第２フレーム部材Ｘ１、Ｘ２の一側壁を取り除いて示している。このような態様であっても、挿入部材Ｘ６に抜け止め部たる係合爪Ｘ６３を設けているので、上述した実施形態に係る主要な効果は全て得ることができる。
【００６０】
また、軸状ナット５は必ずしも被取付部材の２つの壁部を貫通させる必要はなく、一方の壁部Ｘ１ａのみを貫通させるようにしてもよい。この場合、例えば前記図１８のｙ−ｙ断端面図である図１９に示すように、他方の壁部Ｘ１ｂには軸状ナット５を挿入可能な有底のナット受け凹部Ｘ１ｙを設け、一方の壁部Ｘ１ａに設けたナット保持孔Ｘ１ｘを貫通させた軸状ナット５を前記ナット受け凹部Ｘ１ｙに挿入し、これらナット保持孔Ｘ１ｘ及び前記ナット受け凹部Ｘ１ｙの端面に軸状ナット５を保持させるようにするとよい。さらに、部材の長手方向に直交する方向に沿って切断した断面を模式的に示す図である図２０に示すように、被取付部材が、底面を構成する底壁ＦＦ１と、この底壁ＦＦ１の一側縁から起立する背壁ＦＦ２と、この背壁ＦＦ２の上端から底壁ＦＦ１と平行に延伸し上面を構成する頂壁ＦＦ３と、この頂壁ＦＦ３の他側縁から垂下する上前壁ＦＦ４と、前記底壁ＦＦ１の他側縁から起立する下前壁ＦＦ５と、前記背壁ＦＦ２と前記下前壁Ｆ５との中間の部位に前記底壁ＦＦ１から起立させて設けた中間壁ＦＦ６とを有するフレーム部材ＦＦである場合にも前記態様を採用するとよい。すなわち、前記図２０に示すように、一方の壁部である中間壁ＦＦ６に軸状ナット５を貫通可能なナット保持孔ＦＦ６ｘを設けるとともに、他方の壁部である前記背壁ＦＦ２には軸状ナット５を挿入可能な有底のナット受け凹部ＦＦ２ｘを設け、前記中間壁ＦＦ６と前記背壁ＦＦ２との間の空間に挿入部材６を挿入するようにしてもよい。この場合、前記ナット保持孔ＦＦ６ｘ、及び前記挿入部材６のナット挿通孔（図２０では図示略）を貫通させた軸状ナット５を前記ナット受け凹部ＦＦ２ｘに挿入し、前記ナット保持孔ＦＦ６ｘ及び前記ナット受け凹部ＦＦ２ｘの端面に軸状ナット５を保持させるようにするとよい。
【００６１】
加えて、軸状ナットのＤ字断面部に替えて、円柱に例えばコの字状の切り欠きを形成した切り欠き断面部を円柱部から連続して設けるようにしてもよい。
【００６２】
その他、本発明の趣旨を損ねない範囲で種々に変更してよい。
【図面の簡単な説明】
【００６３】
【図１】本発明の一実施形態に係る天板付家具を天板が後方スライド位置にある状態で示す斜視図。
【図２】同実施形態に係る天板付家具を天板が前方スライド位置にある状態で示す斜視図。
【図３】同実施形態に係る天板付家具を抽斗を引き出した状態で示す斜視図。
【図４】同実施形態に係る天板付家具の脚構造体を示す斜視図。
【図５】同実施形態に係る天板付家具の第１保持手段を示す分解斜視図。
【図６】同実施形態に係る天板付家具の第２保持手段を示す分解斜視図。
【図７】同実施形態に係る天板付家具の第３保持手段を示す分解斜視図。
【図８】同実施形態に係る天板付家具の第１保持手段の要部を示す横断面図。
【図９】図８におけるＡ−Ａ断面図。
【図１０】同実施形態に係る軸状ナットを示す平面図。
【図１１】同実施形態に係る軸状ナットを示す正面図。
【図１２】同実施形態に係る軸状ナットを示す側面図。
【図１３】同実施形態に係る挿入部材を示す正面図。
【図１４】同実施形態に係る挿入部材を示す側面図。
【図１５】同実施形態に係る挿入部材を示す平面図。
【図１６】同実施形態に係る挿入部材を示す背面図。
【図１７】図１６におけるｘ−ｘ断面図。
【図１８】本発明の他の実施形態に係るナットの支持構造を示す概略図。
【図１９】図１８におけるｙ−ｙ断面図。
【図２０】本発明の他の実施形態に係るナットの支持構造を示す概略図。
【符号の説明】
【００６４】
１１…後部横架材（被取付部材）
１２…中間横架材（被取付部材）
１４…側部架材（被取付部材）
Ｆ６…第１中間壁
Ｆ７…第２中間壁
５…軸状ナット
６…挿入部材
６３…係合爪
６ｘ…ナット挿通孔
６ｙ…ネジ挿通空間
【図１】
0004674341.tif 000002
【図２】
0004674341.tif 000003
【図３】
0004674341.tif 000004
【図４】
0004674341.tif 000005
【図５】
0004674341.tif 000006
【図６】
0004674341.tif 000007
【図７】
0004674341.tif 000008
【図８】
0004674341.tif 000009
【図９】
0004674341.tif 000010
【図１０】
0004674341.tif 000011
【図１１】
0004674341.tif 000012
【図１２】
0004674341.tif 000013
【図１３】
0004674341.tif 000014
【図１４】
0004674341.tif 000015
【図１５】
0004674341.tif 000016
【図１６】
0004674341.tif 000017
【図１７】
0004674341.tif 000018
【図１８】
0004674341.tif 000019
【図１９】
0004674341.tif 000020
【図２０】
0004674341.tif 000021